(57)【要約】【課題】天井が低く感じられないように設置するなかで、その設置構造を簡素化して施工コストを低減することができるケーブル床配線用ＯＡパネルユニットおよびその配置構造の提供。【解決手段】メインパネル体１１と第１サブパネル体２１と第２サブパネル体３１とを、メインパネル体１１を主とする適宜の組合せパターンのもとで天井が低く感じられないように既存床Ｆ上に碁盤目状に直に置敷きした際に、相互に連通させたケーブル配線溝１４，２４，３４により確保される連通ルート４１，４２，４３を介して、電源ラインとして用いられるケーブル５１やＬＡＮラインとして用いられるケーブル５２，５３を必要な方向に引き回して配線できるようにした。【選択図】図４
2012077573.tif 000002
【特許請求の範囲】
【請求項１】
同一面サイズの正方形の平面形状を呈し、かつ、その一側表面に溝幅を同じくするケーブル配線溝を設けてなるメインパネル体と第１サブパネル体と第２サブパネル体とで構成され、
メインパネル体の前記ケーブル配線溝と第１サブパネル体の前記ケーブル配線溝と第２サブパネル体の前記ケーブル配線溝とは、前記メインパネル体を主とする適宜の組合せパターンのもとで既存床上に碁盤目状に直に置敷きした際に、隣り合う複数の箇所で相互の溝端が連通する異なる溝パターンのもとで各別に形成して１以上の連通ルートの確保を可能としたことを特徴とするケーブル床配線用ＯＡパネルユニット。
【請求項２】
メインパネル体の前記ケーブル配線溝は、縦方向と横方向での中心位置にて直交する第１直進溝部と第２直進溝部と、前記第１の直進溝部と該第１の直進溝部と対向する位置にある側縁との間の間隔ｌの位置を溝幅中心位置として前記第１直進溝部と平行に配置された第３直進溝部と、前記側縁側との間に内角を形成して隣り合う側縁との間の間隔ｌの位置を溝幅中心位置として前記第２直進溝部と配置された第４直進溝部として形成され、
第１サブパネル体の前記ケーブル配線溝は、いずれかの側縁を前記メインパネル体のいずれかの側縁に対面合致させた際に、前記第１直進溝部もしくは前記第２直進溝部の溝端とその溝端が連通する第１小湾曲溝部と、該第１小湾曲溝部と平行に配置されて前記第３直進溝部もしくは前記第４直進溝部の溝端とその溝端が連通する大湾曲溝部として形成され、
第２サブパネル体の前記ケーブル配線溝は、いずれかの側縁を前記メインパネル体のいずれかの側縁に対面合致させた際に、前記第１直進溝部もしくは前記第２直進溝部の溝端とその溝端が連通する菱形湾曲溝部と、該菱形湾曲溝部の各辺と各別に平行に配置されて前記第３直進溝部と前記第４直進溝部とのいずれか一方の溝端とその溝端が連通する第２小湾曲溝部として形成された請求項１に記載のケーブル床配線用ＯＡパネルユニット。
【請求項３】
メインパネル体の前記第１直進溝部と前記第２直進溝部との直交位置には、前記既存床上に設置されているコンセントを露出させるための貫通孔を設けた請求項２に記載のケーブル床配線用ＯＡパネルユニット。
【請求項４】
請求項１ないし３のいずれかに記載の前記メインパネル体と前記第１サブパネル体と前記第２サブパネル体とを、前記メインパネル体を主とする適宜の組合せパターンのもとで前記既存床上に碁盤目状に直に置敷きした際に、相互に連通させた前記ケーブル配線溝により確保される連通ルートを介して、電源ラインやランラインとして用いられるケーブルを必要な方向に引き回して配線可能としたことを特徴とするケーブル床配線用ＯＡパネルユニット配置構造。
【請求項５】
前記メインパネル体と前記第１サブパネル体と前記第２サブパネル体との前記ケーブル配線溝のうち、前記ケーブルが配線されない部位には、それぞれの溝形状と略合致する溝カバー材を必要に応じて嵌め入れた請求項４に記載のケーブル床配線用ＯＡパネルユニット配置構造。
【請求項６】
前記メインパネル体と前記第１サブパネル体と前記第２サブパネル体とのそれぞれの上面は、各別に対面合致する面サイズの床マットで覆った請求項４または５に記載のケーブル床配線用ＯＡパネルユニット配置構造。
【発明の詳細な説明】
【技術分野】
【０００１】
本発明は、オフィス等の既存床との間に空隙を介在させることなく直に置敷きして、ケーブルを引き回すことができるようにしたケーブル床配線用ＯＡパネルユニットおよびその配置構造に関する技術である。
【背景技術】
【０００２】
オフィスに設置される各種のＯＡ機器は、給電ラインもしくはＬＡＮラインとして用いられるケーブルを配線することで使用されている。この場合、ケーブルは、既存床上に設置されるケーブル床配線用ＯＡパネルにより確保される配線路を介して人目につかないようにして引き回されるのが一般的である。
【０００３】
また、このような用途に供されるケーブル床配線用ＯＡパネルとしては、例えば特許文献１に開示されているように、既存床との間に間隙を介在させてケーブル床配線用ＯＡパネルを敷設し、前記間隙を利用してケーブルを引き回すことができるようにしたものと、例えば特許文献２に開示されているように、既存床上に直にケーブル床配線用ＯＡパネルを置敷きし、該ケーブル床配線用ＯＡパネルに設けた溝を利用してケーブルを引き回すようにしたものとが、従来より提案されている。
【先行技術文献】
【特許文献】
【０００４】
【特許文献１】特開平６−２９９６８４号公報
【０００５】
特許文献１には、配線ケーブルを収納するための溝部が上面の直交方向に各１条設けられたＯＡフロアパネルが開示されており、該ＯＡフロアパネルと既存床との間に支柱を介して形成された間隙にも配線ケーブルを収納できるようになっている。なお、ＯＡフロアパネルの上面は、仕上げ材で覆われることになる。
【０００６】
【特許文献２】特開２００７−２９１７４０号公報
【０００７】
特許文献２には、プラスチック製発泡部材からなる長方形の平板の上面に多数の矩形突起を等間隔で形成し、該矩形突起相互間に所定幅の溝を一体形成してなるＯＡ床パネルが開示されており、矩形突起が上を向くようにして既存床上にＯＡ床パネルを敷き並べた上で溝内にケーブルを収容し、その上にウランベニヤ板を接着して固定して用いられている。なお、隣り合うＯＡ床パネル相互は、Ｈ字形や十字形や−字形を呈する連結部材を溝に嵌合させることで連結されるようになっている。
【発明の概要】
【発明が解決しようとする課題】
【０００８】
しかし、既存床との間に介在させた間隙をも利用して配線ケーブルを引き回す特許文献１の従来手法による場合には、既存床上に配置される支柱を介してＯＡフロアパネルを設置する必要があることから、床面が嵩上げされた分だけ天井が低く感じられるほか、オフィスの出入り口等に取り付けられている既設のドアの開け閉てができるスペースを確保したり、スロープを設けたりする必要があり、それだけ施工コストを押し上げてしまうなどの不都合があった。
【０００９】
また、特許文献２の従来手法は、長方形の平板の上面に等間隔に形成された多数の矩形突起の間に配線ケーブルを収納するための溝が確保され、しかも、ＯＡ床パネル相互を連結部材で連結して用いられることから、構造がそれだけ複雑化してしまう不具合があった。
【００１０】
本発明は、従来手法にみられて上記課題に鑑み、天井が低く感じられないようにするなかで、その設置構造を簡素化して施工コストを低減することができるようにしたケーブル床配線用ＯＡパネルユニットおよびその配置構造を提供することに目的がある。
【課題を解決するための手段】
【００１１】
本発明は、上記目的を達成すべくなされたものであり、そのうちの第１の発明（パネルユニット）は、同一面サイズの正方形の平面形状を呈し、かつ、その一側表面に溝幅を同じくするケーブル配線溝を設けてなるメインパネル体と第１サブパネル体と第２サブパネル体とで構成され、メインパネル体の前記ケーブル配線溝と第１サブパネル体の前記ケーブル配線溝と第２サブパネル体の前記ケーブル配線溝とは、前記メインパネル体を主とする適宜の組合せパターンのもとで既存床上に碁盤目状に直に置敷きした際に、隣り合う複数の箇所で相互の溝端が連通する異なる溝パターンのもとで各別に形成して１以上の連通ルートの確保を可能としたことを最も主要な特徴とする。
【００１２】
この場合、メインパネル体の前記ケーブル配線溝は、縦方向と横方向での中心位置にて直交する第１直進溝部と第２直進溝部と、前記第１の直進溝部と該第１の直進溝部と対向する位置にある側縁との間の間隔ｌの位置を溝幅中心位置として前記第１直進溝部と平行に配置された第３直進溝部と、前記側縁側との間に内角を形成して隣り合う側縁との間の間隔ｌの位置を溝幅中心位置として前記第２直進溝部と配置された第４直進溝部として形成され、第１サブパネル体の前記ケーブル配線溝は、いずれかの側縁を前記メインパネル体のいずれかの側縁に対面合致させた際に、前記第１直進溝部もしくは前記第２直進溝部の溝端とその溝端が連通する第１小湾曲溝部と、該第１小湾曲溝部と平行に配置されて前記第３直進溝部もしくは前記第４直進溝部の溝端とその溝端が連通する大湾曲溝部として形成され、第２サブパネル体の前記ケーブル配線溝は、いずれかの側縁を前記メインパネル体のいずれかの側縁に対面合致させた際に、前記第１直進溝部もしくは前記第２直進溝部の溝端とその溝端が連通する菱形湾曲溝部と、該菱形湾曲溝部の各辺と各別に平行に配置されて前記第３直進溝部と前記第４直進溝部とのいずれか一方の溝端とその溝端が連通する第２小湾曲溝部として形成するのが好ましい。
【００１３】
また、メインパネル体の前記第１直進溝部と前記第２直進溝部との直交位置には、前記既存床上に設置されているコンセントを露出させるための貫通孔を設けておくこともできる。
【００１４】
一方、第２の発明（パネルユニット配置構造）は、請求項１ないし３のいずれかに記載の前記メインパネル体と前記第１サブパネル体と前記第２サブパネル体とを、前記メインパネル体を主とする適宜の組合せパターンのもとで前記既存床上に碁盤目状に直に置敷きした際に、相互に連通させた前記ケーブル配線溝により確保される連通ルートを介して、給電ラインもしくはＬＡＮラインとして用いられるケーブルを必要な方向に引き回して配線可能としたことを最も主要な特徴とする。
【００１５】
この場合、前記メインパネル体と前記第１サブパネル体と前記第２サブパネル体との前記ケーブル配線溝のうち、前記ケーブルが配線されない部位には、それぞれの溝形状と略合致する溝カバー材を必要に応じて嵌め入れておくこともできる。また、前記メインパネル体と前記第１サブパネル体と前記第２サブパネル体とのそれぞれの上面は、各別に対面合致する面サイズの床マットで覆っておくのが望ましい。
【発明の効果】
【００１６】
第１の発明によれば、メインパネル体と第１サブパネル体と第２サブパネル体とは、パターンを異にするケーブル配線溝を備えているので、これらを適宜組み合わせることで、既存床上に碁盤目状に直に置敷きした際に所望する方向へと連通させた連通ルートを容易に形成することができる。
【００１７】
また、メインパネル体の第１直進溝部と第２直進溝部との直交位置に貫通孔が形成されている場合には、該貫通孔を介して既存床上に設置されているコンセントを露出させることができるので、該コンセントにケーブルが備えるプラグを接続することができる。
【００１８】
第２の発明によれば、メインパネル体と第１サブパネル体と第２サブパネル体とを、メインパネル体を主とする適宜の組合せパターンのもとで既存床上に碁盤目状に直に置敷きした際に、相互に連通させたケーブル配線溝により確保される連通ルートを介して給電ラインもしくはＬＡＮラインとして用いられるケーブルを必要な方向に引き回して配線することができる。
【００１９】
しかも、メインパネル体と第１サブパネル体と第２サブパネル体とは、単に既存床上に碁盤目状に直に置敷きするだけで配置することができるので、既存床に面として下支えさせることで耐荷重性を得ることができるのみならず、実質的な床面の嵩上げをそれだけ少なくして天井の高さが低く感じられるような不具合をなくすことができるほか、オフィスの出入り口等に取り付けられている既設のドアの開け閉ての障害物とはならないようにして配置することができ、全体としての施工コストをそれだけ低減させることができる。
【００２０】
請求項４の発明によれば、メインパネル体と第１サブパネル体と第２サブパネル体とのケーブル配線溝のうち、ケーブルが配線されない部位には、それぞれの溝形状と略合致する溝カバー材が嵌め入れてケーブル配線溝との一体化を図ることで、ケーブル配線溝の存在に由来する強度低下を確実に解消させることができる。
【００２１】
請求項５の発明によれば、メインパネル体と第１サブパネル体と第２サブパネル体とのそれぞれの上面には、床マットが覆設されているので、スッキリとした床面を形成できるほか、既存床上に置敷きされたこれらのパネル体に対する緩衝効果を発揮させて荷重等を受けて損傷するの効果的に防止することもできる。
【図面の簡単な説明】
【００２２】
【図１】第１の発明におけるメインパネル体の一例を示す平面図。
【図２】第１の発明における第１サブパネル体の一例を示す平面図。
【図３】第１の発明における第２サブパネル体の一例を示す平面図。
【図４】第２の発明の配置例を示す部分平面図。
【図５】第２の発明の配置構造例を模式的に示す縦断面部分説明図。
【発明を実施するための形態】
【００２３】
本発明のうち、第１の発明（パネルユニット）は、図１〜図３に示すように同一面サイズの正方形の平面形状を呈し、かつ、その一側表面１２，２２，３２に例えば２０ｍｍ程度の同一の溝幅のケーブル配線溝１４，２４，３４を設けてなるメインパネル体１１と第１サブパネル体２１と第２サブパネル体３１とで構成されている。
【００２４】
そして、これらメインパネル体１１と第１サブパネル体２１と第２サブパネル体３１とは、いずれも一辺Ａの長さが例えば５０ｃｍの正方形を呈し、その板厚が例えば１０〜１２ｍｍ程度の硬質塩化ビニルなどの合成樹脂板により、適宜の組み合わせのもとで既存床Ｆ上に直に碁盤目状に置敷き可能に形成されている。
【００２５】
また、ケーブル配線溝１４，２４，３４は、各パネル体側の板厚が１０ｍｍであれば８ｍｍ程度の、板厚が１２ｍｍであれば１０ｍｍ程度の溝深さがそれぞれ付与されて形成されている。
【００２６】
これらの各パネル体のうち、メインパネル体１１のケーブル配線溝１４は、縦方向と横方向での中心位置にて直交する第１直進溝部１５と第２直進溝部１６と、第１の直進溝部１５と該第１の直進溝部１５と対向する位置にある側縁１１ａとの間の間隔ｌの位置を溝幅中心位置として第１直進溝部１５と平行に配置された第３直進溝部１７と、側縁１１ａ側との間に内角を形成して隣り合う側縁１１ｂとの間の間隔ｌの位置を溝幅中心位置として第２直進溝部１６と平行に配置された第４直進溝部１８とで形成されている。
【００２７】
この場合、メインパネル体１１の第１直進溝部１５と第２直進溝部１６との直交位置には、図１に破線として示されている例えば直径が１０ｃｍ程度の貫通孔１９を、既存床Ｆ上に設置されているコンセントＣを露出させるために設けておくこともできる。
【００２８】
第１サブパネル体２１のケーブル配線溝２４は、いずれかの側縁２１ａ〜２１ｄをメインパネル体１１のいずれかの側縁１１ａ〜１１ｄに対面合致させた際に、第１直進溝部１５の溝端１５ａまたは１５ｂと、もしくは第２直進溝部１６の溝端１６ａまたは１６ｂとその溝端２５ａまたは２５ｂが連通する第１小湾曲溝部２５と、第１小湾曲溝部２５と平行に配置されて第３直進溝部１７の溝端１７ａとその溝端２６ｂが、もしくは第４直進溝部１８の溝端１８ｂとその溝端２６ｂが連通する大湾曲溝部２６とで形成されている。
【００２９】
すなわち、第１サブパネル体２１の第１小湾曲溝部２５は、内角を間に挟んだ側縁２１ａと２１ｄとの間に架け渡された一方と、上記内角とは対向する位置関係にある内角を間に挟んだ側縁２１ｂと２１ｃとの間に架け渡された他方との２条が対となって形成されている。
【００３０】
そして、各第１小湾曲溝部２５は、それぞれの溝端２５ａまたは２５ｂが、一辺Ａの長さの１／２の位置をそれぞれの溝幅中心位置として配置されている。
【００３１】
また、大湾曲溝部２６は、いずれか一方の第１小湾曲溝部２５、図２によれば他方の第１小湾曲溝部２５と平行となって側縁２１ｂと側縁２１ｃとの間に架け渡されて形成されている。この場合における大湾曲溝部２６は、一方の溝端２６ａが側縁２１ａとの間の間隔ｌの位置を溝幅中心位置とし、他方の溝端２６ｂが側縁２１ｄとの間の間隔ｌの位置を溝幅中心位置とすることで配置されている。
【００３２】
第２サブパネル体３１のケーブル配線溝３４は、いずれかの側縁３１ａ〜３１ｄをメインパネル体１１のいずれかの側縁１１ａ〜１１ｄに対面合致させた際に、第１直進溝部１５の溝端１５ａまたは１５ｂと、もしくは第２直進溝部１６の溝端１６ａまたは１６ｂとその溝端３５ａ〜３５ｄのいずれかが連通する菱形湾曲溝部３５と、該菱形湾曲溝部３５の各辺と各別に平行に配置されて第３直進溝部１７と第４直進溝部１８とのいずれか一方の溝端１７ａまたは１７ｂ、もしくは溝端１８ａまたは１８ｂとその溝端３６ａ，３６ｂが連通する第２小湾曲溝部３６として形成されている。
【００３３】
すなわち、第２サブパネル体３１の菱形湾曲溝部３５は、各側縁３１ａ〜３１ｄにおける一辺Ａの長さの１／２の位置を各溝端３５ａ〜３５ｄの溝幅中心位置とする４辺構成のもとで配置されている。
【００３４】
また、第２小湾曲溝部３６は、菱形湾曲溝部３５の各辺に対し平行となって側縁３１ａと側縁３１ｂとの間、側縁３１ｂと側縁３１ｃとの間、側縁３１ｃと側縁３１ｄとの間、側縁３１ｄと側縁３１ａとの間に各別に架け渡された４条構成のもとで配置されている。
【００３５】
この場合における第２小湾曲溝部３６のひとつは、一方の溝端３６ａが側縁３１ｂとの間の間隔ｌの位置を溝幅中心位置とし、他方の溝端３６ｂが側縁３１ａとの間の間隔ｌの位置を溝幅中心位置とすることで、側縁３１ａと側縁３１ｂとの間に架け渡されている。
【００３６】
第２小湾曲溝部３６の次のひとつは、一方の溝端３６ａが側縁３１ｃとの間の間隔ｌの位置を溝幅中心位置とし、他方の溝端３６ｂが側縁３１ｂとの間の間隔ｌの位置を溝幅中心位置とすることで、側縁３１ｂと側縁３１ｃとの間に架け渡されている。
【００３７】
第２小湾曲溝部３６のさらに次のひとつは、一方の溝端３６ａが側縁３１ｄとの間の間隔ｌの位置を溝幅中心位置とし、他方の溝端３６ｂが側縁３１ｃとの間の間隔ｌの位置を溝幅中心位置とすることで、側縁３１ｃと側縁３１ｄとの間に架け渡されている。
【００３８】
第２小湾曲溝部３６の最後のひとつは、一方の溝端３６ａが側縁３１ａとの間の間隔ｌの位置を溝幅中心位置とし、他方の溝端３６ｂが側縁３１ｄとの間の間隔ｌの位置を溝幅中心位置とすることで、側縁３１ｄと側縁３１ａとの間に架け渡されている。
【００３９】
次に、第１の発明に係るメインパネル体１１と第１サブパネル体２１と第２サブパネル体３１とを用いて構成される第２の発明（パネルユニット配置構造）を説明すれば、請求項１または請求項２に記載のメインパネル体１１と第１サブパネル体２１と第２サブパネル体３１とは、給電ラインとしてのケーブル４１やＬＡＮラインとしてのケーブル４２を必要な方向に引き回すことができるように、例えば図４に示されている配置パターンのもとで既存床Ｆ上に碁盤目状に直に置敷きすることで配置される。
【００４０】
これを図４に示されている配置例に基づいて説明すれば、コンセントＣが設置されている既存床Ｆ上には、貫通孔１９を有するメインパネル体１１を用いてコンセントＣの位置に貫通孔１９が位置するようにしてメインパネル体１１を配置する。
【００４１】
また、該メインパネル体１１の左隣には、第１直進溝部１５と一方の第１小湾曲溝部２５とが、第３直進溝部１７と大湾曲溝部２６とがそれぞれ連通する位置関係のもとで、第１サブパネル体２１を配置する。
【００４２】
該第１サブパネル体２１の上隣には、一方の第１小湾曲溝部２５と第１直進溝部１５とが、大湾曲溝部２６と第３直進溝部１７とがそれぞれ連通する位置関係のもとで、メインパネル体１１を配置する。
【００４３】
該メインパネル体１１の上隣には、第１直進溝部１５と菱形湾曲溝部３５の１辺とが、第３直進溝部１７と対応位置にある第２小湾曲溝部３６とがそれぞれ連通する位置関係のもとで、第２サブパネル体３１を配置する。
【００４４】
該第２サブパネル体３１の左隣には、菱形湾曲溝部３５の１辺と一方の第１小湾曲溝部２５とが、対応位置にある第２小湾曲溝部３６と大湾曲溝部２６とがそれぞれ連通する位置関係のもとで、第１サブパネル体２１を配置する。
【００４５】
該第１サブパネル体２１の上隣には、一方の第１小湾曲溝部２５と第１直進溝部１５とが、大湾曲溝部２６と第３直進溝部１７とがそれぞれ連通する位置関係のもとで、メインパネル体１１を配置する。
【００４６】
給電ラインとしてのケーブル５１とＬＡＮラインとしてのケーブル５２とは、このようにメインパネル体１１と第１サブパネル体２１と第２サブパネル体３１とを配置して確保される連通ルート４１，４２を介して各別に配線することができる。
【００４７】
つまり、連通ルート４１を介して所望する方向へと引き出される給電ラインとしてのケーブル５１は、その一端に備えているプラグＰを既存床Ｆ上に設置されているコンセントＣに貫通孔１９を介して接続することができる。しかも、給電ラインとしてのケーブル５１は、比較的太い線径のもとで形成されている例が多く、このような場合であっても例えば大湾曲溝部２６を介するなどして円滑にその配線方向を変更することができる。
【００４８】
また、ＬＡＮラインとしてのケーブル５２は、連通ルート４２を介して一方の位置から他方の位置へと配線することができる。また、図４に示す他の連通ルート４３を介して必要な方向へと他のＬＡＮラインとしてのケーブル５３を適宜配線することもできる。
【００４９】
このようにして必要なケーブル配線を終えた後は、メインパネル体１１と第１サブパネル体２１と第２サブパネル体３１とのケーブル配線溝１４，２４，３４のうち、ケーブル５１，５２，５３が配線されない部位には、それぞれの溝形状と略合致する溝カバー材６１を必要に応じて例えば図５に示すように嵌め入れておくならば、それだけ耐荷重性を高めてメインパネル体１１と第１サブパネル体２１と第２サブパネル体３１とを既存床Ｆ上に碁盤目状に直に置敷きすることができる。
【００５０】
さらに、メインパネル体１１と第１サブパネル体２１と第２サブパネル体３１とのそれぞれの上面には、対面合致する面サイズの床マット７１を図５に示すように各別に覆設しておくことで、ケーブル５１，５２，５３の配線状況を目隠しすることができる。
【００５１】
このため、第１の発明によれば、メインパネル体１１と第１サブパネル体２１と第２サブパネル体３１とは、パターンを異にするケーブル配線溝１４，２４，３４を備えているので、これらを適宜組み合わせることで、既存床Ｆ上に碁盤目状に直に置敷きした際に所望する方向へと連通させた連通ルート４１，４２，４３を容易に形成することができる。
【００５２】
また、第１の発明においてメインパネル体の第１直進溝部１５と第２直進溝部１６との直交位置に貫通孔１９が形成されている場合には、該貫通孔１９を介して既存床Ｆ上に設置されているコンセントＣを露出させることができるので、該コンセントＣにケーブル５１が備えるプラグＰを簡単に接続することができる。
【００５３】
一方、第２の発明によれば、メインパネル体１１と第１サブパネル体２１と第２サブパネル体３１とを、メインパネル体１１を主とする適宜の組合せパターンのもとで既存床Ｆ上に碁盤目状に直に置敷きした際に、相互に連通させたケーブル配線溝１４，２４，３４により確保される連通ルート４１，４２，４３を介して給電ラインとして用いられるケーブル５１やＬＡＮラインとして用いられるケーブル５２，５３を必要な方向に引き回して配線することができる。
【００５４】
しかも、メインパネル体１１と第１サブパネル体２１と第２サブパネル体３１とは、単に既存床Ｆ上に碁盤目状に直に置敷きするだけで配置することができるので、既存床Ｆに面として下支えさせることで優れた耐荷重性を得ることができるのみならず、実質的な床面の嵩上げをそれだけ少なくして天井の高さが低く感じられるような不具合をなくすことができるほか、オフィスの出入り口等に取り付けられている既設のドアの開け閉ての障害物とはならないようにして配置して施工コストの低減にも有効に寄与させることができる。
【００５５】
以上は、本発明を図示例に従って説明したものであり、その具体的な内容は、これに限定されるものではない。例えば、ケーブル５１，５２，５３が全く配線されないメインパネル体１１と第１サブパネル体２１と第２サブパネル体３１とについては、図４に示されているように他側面１３，２３，３３を表側に位置させて置敷きすることもできる。また、ケーブル配線を終えた後のメインパネル体１１と第１サブパネル体２１と第２サブパネル体３１とにおけるケーブル５１，５２，５３が配線されていない部位には、溝カバー材６１を嵌め入れることなくその上に床マット７１を覆設してもよい。さらに、メインパネル１１と第１サブパネル体２１と第２サブパネル体３１とは、メインパネル１１を主として用い、第１サブパネル体２１と第２サブパネル体３１とのうちのいずれか一方と組み合わせたり、もしくは双方と組み合わせたりして形成される適宜の配置パターンのもとで配置することができる。メインパネル体１１と第１サブパネル体２１と第２サブパネル体３１とのそれぞれのケーブル配線溝１４，２４，３４は、図示例の溝パターンに限られるものではなく、少なくとも隣り合う１以上の箇所で相互の溝端が連通する連通ルートの確保を可能に形成されてさえいれば、湾曲しないで斜め方向に直進する斜行溝部の組み合わせのようなものであってもよい。
【符号の説明】
【００５６】
１１  メインパネル体
１１ａ〜１１ｄ  側縁
１２  一側表面
１３  他側表面
１４  ケーブル配線溝
１５  第１直進溝部
１５ａ，１５ｂ  溝端
１６  第２直進溝部
１６ａ，１６ｂ  溝端
１７  第３直進溝部
１７ａ，１７ｂ  溝端
１８  第４直進溝部
１８ａ，１８ｂ  溝端
２１  第１サブパネル体
２１ａ〜２１ｄ  側縁
２２  一側表面
２３  他側表面
２４  ケーブル配線溝
２５  第１小湾曲溝部
２５ａ，２５ｂ  溝端
２６  大湾曲溝部
２６ａ，２６ｂ  溝端
３１  第２サブパネル体
３１ａ〜３１ｄ  側縁
３２  一側表面
３３  他側表面
３４  ケーブル配線溝
３５  菱形湾曲溝部
３５ａ〜３５ｄ  溝端
３６  第２小湾曲溝部
３６ａ，３６ｂ  溝端
４１，４２，４３  連通ルート
５１，５２，５３  ケーブル
６１  溝カバー材
７１  床マット
Ｆ  既存床
Ｃ  コンセント
Ｐ  プラグ
【図１】
2012077573.tif 000003
【図２】
2012077573.tif 000004
【図３】
2012077573.tif 000005
【図４】
2012077573.tif 000006
【図５】
2012077573.tif 000007